(57)【要約】【課題】口金部材に対して処置具（処置具アタッチメント）を装着する度に繰り返し掛けられるねじ込み圧力（トルク）を分散させて、口金部材を支持するカラー部材の破壊ひいては口金部材がカラー部材に対して相対回転する不具合を防止することができる内視鏡を得る。【解決手段】非円形凸嵌合部は、金属製の口金部材の軸線を中心とする円筒面の一部からなる円形凸筒状面と、この円形凸筒状面の不存在部分において円形凸筒状面の延長面の径方向外方に突出する複数の回り止め凸部とを有する。非円形凹嵌合孔は、円形凸筒状面に対応して互いに係合する円形凹筒状面と、複数の回り止め凸部に対応して互いに係合する円形凹筒状面の延長面の径方向外方に突出する複数の回り止め凹部とを有する。【選択図】図６
2015204972.tif 000002
【特許請求の範囲】
【請求項１】
操作部と体内挿入部の間に延びる処置具挿通チャンネル；
前記処置具挿通チャンネルの前記操作部側の基端部に設けられた樹脂製のカラー部材；及び
前記樹脂製のカラー部材に前記処置具挿通チャンネルと同軸に支持された金属製の口金部材；を備え、
前記金属製の口金部材と前記樹脂製のカラー部材は、互いに嵌合する非円形凸嵌合部と非円形凹嵌合孔をそれぞれ有する内視鏡において、
前記非円形凸嵌合部は、前記金属製の口金部材の軸線を中心とする円筒面の一部からなる円形凸筒状面と、この円形凸筒状面の不存在部分において該円形凸筒状面の延長面の径方向外方に突出する複数の回り止め凸部とを有すること；及び
前記非円形凹嵌合孔は、前記円形凸筒状面に対応して互いに係合する円形凹筒状面と、前記複数の回り止め凸部に対応して互いに係合する前記円形凹筒状面の延長面の径方向外方に突出する複数の回り止め凹部とを有すること；
を特徴とする内視鏡。
【請求項２】
請求項１記載の内視鏡において、
前記複数の回り止め凸部と前記複数の回り止め凹部は、その軸線が前記金属製の口金部材の軸線と平行な半円柱状をなしている内視鏡。
【請求項３】
請求項１または２記載の内視鏡において、
前記複数の回り止め凸部と前記複数の回り止め凹部は、前記金属製の口金部材の軸線に対して回転対称に形成されている内視鏡。
【請求項４】
請求項２または３記載の内視鏡において、
前記複数の回り止め凸部は、前記金属製の口金部材とは別部材からなる複数の円柱ピンからなり、前記金属製の口金部材には、前記複数の円柱ピンを嵌合させる複数の円柱ピン支持孔が形成されている内視鏡。
【請求項５】
請求項４記載の内視鏡において、
前記複数の円柱ピン支持孔は、その直径部分が、前記円形凸筒状面の延長面の内側に位置している内視鏡。
【発明の詳細な説明】
【技術分野】
【０００１】
本発明は、操作部と体内挿入部の間に延びる処置具挿通チャンネルを有する内視鏡に関する。
【背景技術】
【０００２】
操作部と体内挿入部の間に延びる処置具挿通チャンネルを設け、この処置具挿通チャンネルを介して各種の処置具を被検者の体内に導入することにより、各種の診断や処置等を行う内視鏡が知られている。
【０００３】
処置具挿通チャンネルの先端側は、体内挿入部の先端部に形成されたチャンネル開口に連通しており、同処置具挿通チャンネルの基端側は、チャンネル分岐部を経て、一方が操作部の処置具挿通口に連通し、他方が吸引管路に連通している。吸引管路は吸引装置に接続されており、チャンネル開口から被検者の体液等を吸引してこれを取り除けるようになっている。
【０００４】
処置具挿通口には一般に、処置具を装着するためのルアー口金（口金部材）が装着される。ルアー口金に装着する処置具の代表的なものとして、超音波内視鏡用穿刺針装置の穿刺針導入用の処置具アタッチメントが知られている。同アタッチメントは二条ねじ構造によりルアー口金にねじ込み固定されるもので、この処置具アタッチメントを介して穿刺針を処置具挿通口から導入する。
【先行技術文献】
【特許文献】
【０００５】
【特許文献１】特公平４−１７６４９号公報
【発明の概要】
【発明が解決しようとする課題】
【０００６】
しかしながら、本発明者の鋭意研究によると、従来の内視鏡にあっては、ルアー口金に対して処置具（処置具アタッチメント）を装着する度に繰り返し掛けられるねじ込み圧力（トルク）に起因して、次のような技術課題が発生することが判明した。
【０００７】
すなわち、従来の内視鏡にあっては、金属製のルアー口金は、処置具挿通チャンネルの操作部側の基端部に設けられた樹脂製のカラー部材に支持されており、ルアー口金のＤカット嵌合部とカラー部材のＤカット嵌合孔（非円形凸嵌合部と非円形凹嵌合孔）を互いに嵌合させることで、両部材の回転止めの役目を持たせている。
【０００８】
ところが、上述したように、Ｄカット嵌合部を有するルアー口金が金属製であり、Ｄカット嵌合孔を有するカラー部材が樹脂製であるため、ルアー口金に対して処置具（処置具アタッチメント）を装着する度に繰り返し掛けられるねじ込み圧力（トルク）によって、カラー部材のＤカット嵌合孔が破壊され、ルアー口金がカラー部材に対して相対回転する不具合が発生してしまう。より具体的に、カラー部材のＤカット嵌合孔のうち、その曲面部と平面部の境界エッジ部（４箇所の境界エッジ部のうち周方向に隣接せずに対向する２箇所の境界エッジ部）にねじ込み圧力（トルク）が局所的に集中することで、この境界エッジ部を起点として、Ｄカット嵌合孔が削ぎ落とされてしまう（掘り込まれてしまう）のである。
【０００９】
本発明は、以上の問題意識に基づいてなされたものであり、口金部材に対して処置具（処置具アタッチメント）を装着する度に繰り返し掛けられるねじ込み圧力（トルク）を分散させて、口金部材を支持するカラー部材の破壊ひいては口金部材がカラー部材に対して相対回転する不具合を防止することができる内視鏡を得ることを目的とする。
【課題を解決するための手段】
【００１０】
本発明の内視鏡は、操作部と体内挿入部の間に延びる処置具挿通チャンネル；前記処置具挿通チャンネルの前記操作部側の基端部に設けられた樹脂製のカラー部材；及び前記樹脂製のカラー部材に前記処置具挿通チャンネルと同軸に支持された金属製の口金部材；を備え、前記金属製の口金部材と前記樹脂製のカラー部材は、互いに嵌合する非円形凸嵌合部と非円形凹嵌合孔をそれぞれ有する内視鏡において、前記非円形凸嵌合部は、前記金属製の口金部材の軸線を中心とする円筒面の一部からなる円形凸筒状面と、この円形凸筒状面の不存在部分において該円形凸筒状面の延長面（該円形凸筒状面を含む仮想円筒）の径方向外方に突出する複数の回り止め凸部とを有すること；及び前記非円形凹嵌合孔は、前記円形凸筒状面に対応して互いに係合する円形凹筒状面と、前記複数の回り止め凸部に対応して互いに係合する前記円形凹筒状面の延長面（前記円形凹筒状面を含む仮想円筒）の径方向外方に突出する複数の回り止め凹部とを有すること；を特徴としている。
【００１１】
前記複数の回り止め凸部と前記複数の回り止め凹部は、その軸線が前記金属製の口金部材の軸線と平行な半円柱状をなしていることが好ましい。
【００１２】
前記複数の回り止め凸部と前記複数の回り止め凹部は、前記金属製の口金部材の軸線に対して回転対称に形成されていることが好ましい。
【００１３】
前記複数の回り止め凸部を、前記金属製の口金部材とは別部材からなる複数の円柱ピンから構成し、前記金属製の口金部材に、前記複数の円柱ピンを嵌合させる複数の円柱ピン支持孔を形成することができる。
【００１４】
前記複数の円柱ピン支持孔は、その直径部分が、前記円形凸筒状面の延長面の内側に位置していることが好ましい。
【発明の効果】
【００１５】
本発明の内視鏡によれば、口金部材に対して処置具（処置具アタッチメント）を装着する度に繰り返し掛けられるねじ込み圧力（トルク）を分散させて、口金部材を支持するカラー部材の破壊ひいては口金部材がカラー部材に対して相対回転する不具合を防止することができる。
【図面の簡単な説明】
【００１６】
【図１】本発明の第１実施形態による超音波内視鏡の全体構成を示す図である。
【図２】把持操作部の処置具挿通部を拡大して示す斜視図である。
【図３】把持操作部の処置部挿通部にカラー部材を組み付けた状態を示す第１の斜視図である。
【図４】把持操作部の処置部挿通部にカラー部材を組み付けた状態を示す第２の斜視図である。
【図５】把持操作部の処置部挿通部にカラー部材とルアー口金を組み付けた状態を示す斜視図である。
【図６】ルアー口金の非円形凸嵌合部とカラー部材の非円形凹嵌合孔の嵌合部を拡大して示す図である。
【図７】把持操作部の処置部挿通部にカラー部材とルアー口金とリテーナ部材を組み付けた状態を示す斜視図である。
【図８】図７のVIII−VIII線に沿う断面図である。
【図９】把持操作部の処置部挿通部にカラー部材とルアー口金とリテーナ部材を組み付ける前の状態を示す斜視図である。
【図１０】複数の円柱ピンとルアー口金の複数の円柱ピン支持孔を嵌合させる前の状態を示す斜視図である。
【図１１】複数の円柱ピンとルアー口金の複数の円柱ピン支持孔を嵌合させた後の状態を示す斜視図である。
【図１２】本発明の第２実施形態を示す図１０と図１１に対応する斜視図である。
【発明を実施するための形態】
【００１７】
（第１実施形態）
図１〜図１１を参照して、本発明の第１実施形態による超音波内視鏡（内視鏡）１０について説明する。以下の説明中の超音波内視鏡１０の前後方向は、体内挿入部３０の先端側を「前方」、ユニバーサルチューブ４０と超音波画像伝送用チューブ５０の先端側を「後方」としている。
【００１８】
図１に示すように、超音波内視鏡１０は、操作者が把持する把持操作部（操作部）２０と、把持操作部２０から前方に延出する可撓性のある体内挿入部３０と、把持操作部２０から二股に分岐して後方に延出するユニバーサルチューブ４０および超音波画像伝送用チューブ５０とを有している。体内挿入部３０は、先端側から順に、先端硬性部３１と、湾曲部３２と、可撓管部３３とを有している。ユニバーサルチューブ４０の先端部にはコネクタ部（図示せず）が設けられており、このコネクタ部は電子内視鏡用プロセッサ（図示せず）に対して接続可能である。超音波画像伝送用チューブ５０の先端部にはコネクタ部（図示せず）が設けられており、このコネクタ部は超音波診断装置（図示せず）に対して接続可能である。電子内視鏡用プロセッサと超音波診断装置はともにモニタ（図示せず）に接続されている。
【００１９】
超音波内視鏡１０にはライトガイドファイバ（図示せず）が内蔵されており、このライトガイドファイバは、体内挿入部３０（先端硬性部３１、湾曲部３２、可撓管部３３）、把持操作部２０およびユニバーサルチューブ４０を通って、ユニバーサルチューブ４０の先端部に設けられたコネクタ部から突出するライトガイドスリーブ（図示せず）の内部まで延びている。ユニバーサルチューブ４０の先端部に設けられたコネクタ部が電子内視鏡用プロセッサに接続されると、ライトガイドファイバは、電子内視鏡用プロセッサに内蔵された光源ランプ（図示せず）と光学的に接続される。そして、光源ランプから発せられた照明光は、ライトガイドファイバ内を導かれ、体内挿入部３０の先端硬性部３１の前端面に設けられた照明レンズ（図示せず）によって所定の配光で外方に出射される。
【００２０】
体内挿入部３０の先端硬性部３１の前端面には、被写体光を取り込む対物レンズ（図示せず）が設けられており、その直後に、被写体の画像信号を取得する撮像素子（図示せず）が設けられている。撮像素子が取得した被写体の画像信号は、信号伝送ケーブル（図示せず）を介して伝送され、電子内視鏡用プロセッサの画像処理部（図示せず）に出力される。画像処理部は、入力した画像信号に所定の画像処理を施して撮影画像とし、これをモニタに表示し、画像メモリ（図示せず）に記憶する。
【００２１】
図１に示すように、体内挿入部３０の先端硬性部３１には、正面視環状をなす超音波プローブ５５が取り付けられている。この超音波プローブ５５は、例えば、いずれも環状形状をなすバッキング材、圧電素子および音響レンズを径方向に重ねて一体化することにより構成される。超音波プローブ５５が取得した超音波画像が超音波画像伝送用チューブ５０を介して超音波診断装置に伝送されることで、超音波診断が行われる。
【００２２】
把持操作部２０には、湾曲操作レバー２１と、吸引ボタン２２と、送気送水ボタン２３とが設けられている。湾曲操作レバー２１は、体内挿入部３０の湾曲部３２を上下左右方向に湾曲させるためのレバーである。吸引ボタン２２は、体内挿入部３０の先端硬性部３１に設けられたチャンネル開口（図示せず）から被検者の体液等を吸引してこれを取り除くためのボタンである。送気送水ボタン２３は、体内挿入部３０の先端硬性部３１に設けられた対物レンズや照明レンズ（図示せず）に送気送水するためのボタンである。
【００２３】
超音波内視鏡１０は、把持操作部２０と体内挿入部３０の間に延びる処置具挿通チャンネル６０を有している。処置具挿通チャンネル６０の先端側は、体内挿入部３０の先端硬性部３１に設けられたチャンネル開口（図示せず）に連通している。処置具挿通チャンネル６０の基端側は、チャンネル分岐部６２を経て、一方が把持操作部２０に突設された処置具挿通部７０に連通し、他方が吸引装置（図示せず）に接続された吸引管路６４に連通している。吸引ボタン２２を操作して吸引装置を作動させることにより、体内挿入部３０の先端硬性部３１に設けられたチャンネル開口から被検者の体液等を吸引してこれを取り除くことができる。
【００２４】
把持操作部２０に突設された処置具挿通部７０は、可撓性を有する穿刺針（図示せず）を処置具挿通チャンネル６０に挿入するための筒状をなしている。処置具挿通部７０から処置具挿通チャンネル６０に挿入された穿刺針は、処置具挿通チャンネル６０の先端開口（体内挿入部３０の先端硬性部３１に設けられたチャンネル開口）から外方に突出させることができる。図１は、処置具挿通部７０にキャップ部材７２を被せた状態を描いており、図２〜図１１は、処置具挿通部７０にキャップ部材７２を被せていない状態を描いている。
【００２５】
以下、図２〜図１１を参照して、把持操作部２０に突設された処置具挿通部７０について詳細に説明する。
【００２６】
処置具挿通部７０は、その筒状部７４の内部に、カラー部材８０と、ルアー口金（口金部材）９０と、リテーナ部材１００とを収納して構成されている。
【００２７】
カラー部材８０は、処置具挿通チャンネル６０の把持操作部２０側の基端部（一方の基端部）に設けられ、処置具挿通部７０の筒状部７４に最小クリアランスで嵌め込まれた筒状部材からなる。カラー部材８０は、例えば、変性ＰＰＯ等の樹脂材料からなる。
【００２８】
ルアー口金９０は、カラー部材８０に処置具挿通チャンネル６０と同軸に支持されている。ルアー口金９０は、穿刺針導入用の処置具アタッチメント（図示せず）を二条ねじ構造によりねじ込み固定するための筒状部材からなる。より具体的に、処置具アタッチメントの筒状突起（図示せず）をルアー口金９０の筒状部９０Ｘに挿入し、処置具アタッチメントの二条ねじ（図示せず）をルアー口金９０の一対のフランジ部９０Ｙに螺合させることで、ルアー口金９０と穿刺針導入用の処置具アタッチメント（図示せず）がねじ込み固定される。ルアー口金９０は、例えば、ステンレス鋼等の金属材料からなる。
【００２９】
リテーナ部材１００は、処置具挿通部７０の筒状部７４の内部に収納したカラー部材８０とルアー口金９０を押さえ付けて固定するための筒状部材からなる。すなわち、リテーナ部材１００の外周面には雄ねじ部１０２が形成されており、処置具連通部７０の筒状部７４の内周面には雌ねじ部７６が形成されていて、これら雄ねじ部１０２と雌ねじ部７６を螺合させることにより、処置具挿通部７０の筒状部７４の内部に収納したカラー部材８０とルアー口金９０を押さえ付けて固定することができる（図２、図９）。
【００３０】
金属製のルアー口金９０と樹脂製のカラー部材８０は、互いに嵌合する非円形凸嵌合部９１と非円形凹嵌合孔８１をそれぞれ有している。
【００３１】
非円形凸嵌合部９１は、ルアー口金９０の軸線Ｏ（図６）を中心とする円筒面の一部からなる円形凸筒状面９２と、この円形凸筒状面９２の不存在部分において円形凸筒状面９２の延長面（円形凸筒状面９２を含む仮想円筒）の径方向外方に突出する６つの回り止め凸部９３とを有している。６つの回り止め凸部９３は、その軸線がルアー口金９０の軸線と平行な半円柱状をなしている。６つの回り止め凸部９３は、この実施形態では、３つずつがグループとされて、ルアー口金９０の半割エリア内に等間隔で、かつグループ同士の間にはグループ内の配置間隔より大きい間隔が形成されるように、ルアー口金９０の軸線Ｏに対して回転対称に形成されている。
【００３２】
図１０、図１１に示すように、６つの回り止め凸部９３は、ルアー口金９０とは別部材（但しルアー口金９０と同一の金属材料からなることが好ましい）からなる６つの円柱ピン９４からなり、ルアー口金９０には、この６つの円柱ピン９４を嵌合させる６つの円柱ピン支持孔９５が形成されている。６つの円柱ピン９４を６つの円柱ピン支持孔９５にそれぞれ嵌合させて両者を接着することにより、６つの回り止め凸部９３が形成される。このように、ルアー口金９０とは別部材からなる６つの円柱ピン９４を用いて６つの回り止め凸部９３を構成することで、従来品のルアー口金に円柱ピン支持孔の追加工（後加工）を施してそこに円柱ピンを嵌合および接着するだけで簡単に６つの回り止め凸部９３を形成することができる。
【００３３】
６つの円柱ピン支持孔９５は、その直径部分が、円形凸筒状面９２の延長面（円形凸筒状面９２を含む仮想円筒）の内側に位置していることが好ましい。これにより、６つの円柱ピン９４を６つの円柱ピン支持孔９５にそれぞれ嵌合させた後に、６つの円柱ピン９４が６つの円柱ピン支持孔９５から径方向に脱落するのを確実に防止することができる。
【００３４】
非円形凹嵌合孔８１は、円形凸筒状面９２に対応してこれと互いに係合する円形凹筒状面８２と、６つの回り止め凸部９３（６つの円柱ピン９４）に対応してこれと互いに係合する円形凹筒状面８２の延長面（円形凹筒状面８２を含む仮想円筒）の径方向外方に突出する６つの回り止め凹部８３とを有している。６つの回り止め凹部８３は、その軸線がルアー口金９０の軸線と平行な半円柱状をなしている。６つの回り止め凹部８３は、ルアー口金９０の軸線に対して回転対称に形成されている。
【００３５】
以上のように構成された超音波内視鏡１０を使用して、超音波内視鏡用穿刺針による検査を行うときには、超音波内視鏡１０を被検者の体内の検査対象部位の近傍まで挿入するとともに、ルアー口金９０に対して穿刺針導入用の処置具アタッチメント（図示せず）を二条ねじ構造によりねじ込み固定する。すなわち、処置具アタッチメントをルアー口金９０の筒状部９０Ｘに挿入し、処置具アタッチメントの二条ねじ（図示せず）をルアー口金９０の一対のフランジ部９０Ｙに螺合させることで、ルアー口金９０と穿刺針導入用の処置具アタッチメントをねじ込み固定する。そして穿刺針を、処置具アタッチメントを介して処置具挿通部７０から処置具挿通チャンネル６０に挿入し、処置具挿通チャンネル６０の先端開口（体内挿入部３０の先端硬性部３１に設けられたチャンネル開口）から外方に突出させ、被検者の体内の観察対象部位に穿刺して組織を採取する。
【００３６】
いま、ルアー口金９０に対して処置具アタッチメントを二条ねじ構造によりねじ込み固定する際に掛けられるねじ込み圧力（トルク）に注目する。このねじ込み圧力（トルク）は、ルアー口金９０の非円形凸嵌合部９１の６つの回り止め凸部９３（６つの円柱ピン９４）とカラー部材８０の非円形凹嵌合孔８１の６つの回り止め凹部８３との嵌合部（６箇所）で分散されるため、ルアー口金９０を支持するカラー部材８０の破壊ひいてはルアー口金９０がカラー部材８０に対して相対回転する不具合を防止することができる。この作用効果は、６つの回り止め凸部９３と６つの回り止め凹部８３をその軸線がルアー口金９０の軸線と平行な半円柱状に形成することでより一層顕著に得ることができる。ちなみに、円形凸筒状面９２と円形凹筒状孔８２の嵌合部は、回り止め凸部９３（円柱ピン９４）と回り止め凹部８３の嵌合部よりも大きなクリアランスを持って緩嵌合されているため、ルアー口金９０に掛けられるねじ込み圧力（トルク）を分散させる機能を果たすことは無い。
【００３７】
（第２実施形態）
図１２を参照して、本発明の第２実施形態による超音波内視鏡（内視鏡）１０について説明する。この第２実施形態は、第１実施形態のように、ルアー口金９０とは別部材からなる６つの円柱ピン９４を用いて６つの回り止め凸部９３を構成するのではなく、ルアー口金９０に円形凸筒状面９２と６つの回り止め凸部９３を一体的に形成したものである。これにより、ルアー口金９０を低コストで簡単に大量生産することが可能になる。
【００３８】
以上の第１実施形態及び第２実施形態では、ルアー口金９０に６つの回り止め凸部９３を形成した場合を例示して説明したが、回り止め凸部の数はこれに限定されるものではなく、種々の設計変更が可能である。例えば、ルアー口金９０に２〜５つ又は７つ以上の回り止め凸部を形成する態様も可能である。
【００３９】
以上の第１実施形態及び第２実施形態では、６つの回り止め凸部９３をルアー口金９０の軸線に対して回転対称に形成した場合を例示して説明したが、回り止め凸部は必ずしも回転対称に配置する必要はなく、種々の設計変更が可能である。
【００４０】
以上の第１実施形態及び第２実施形態では、６つの回り止め凸部９３と６つの回り止め凹部８３をその軸線がルアー口金９０の軸線と平行な半円柱状に形成した場合を例示して説明したが、回り止め凸部と回り止め凹部の形状はこれに限定されるものではない。すなわち、回り止め凸部と回り止め凹部の形状は、ルアー口金９０に対して処置具（処置具アタッチメント）を装着する度に繰り返し掛けられるねじ込み圧力（トルク）を分散させて、ルアー口金９０を支持するカラー部材８０の破壊ひいてはルアー口金９０がカラー部材８０に対して相対回転する不具合を防止できる限りにおいて、適宜の設計変更が可能である。例えば半球状突起を回り止め凸部とすることもできる。
【符号の説明】
【００４１】
１０  超音波内視鏡（内視鏡）
２０  把持操作部（操作部）
２１  湾曲操作レバー
２２  吸引ボタン
２３  送気送水ボタン
３０  体内挿入部
３１  先端硬性部
３２  湾曲部
３３  可撓管部
４０  ユニバーサルチューブ
５０  超音波画像伝送用チューブ
５５  超音波プローブ
６０  処置具挿通チャンネル
６２  チャンネル分岐部
６４  吸引管路
７０  処置具挿通部
７２  キャップ部材
７４  筒状部
７６  雌ねじ部
８０  樹脂製のカラー部材
８１  非円形凹嵌合孔
８２  円形凹筒状面
８３  回り止め凹部
９０  金属製のルアー口金（口金部材）
９０Ｘ  筒状部
９０Ｙ  一対のフランジ部
９１  非円形凸嵌合部
９２  円形凸筒状面
９３  回り止め凸部
９４  円柱ピン
９５  円柱ピン支持孔
１００  リテーナ部材
１０２  雄ねじ部
【図１】
2015204972.tif 000003
【図２】
2015204972.tif 000004
【図３】
2015204972.tif 000005
【図４】
2015204972.tif 000006
【図５】
2015204972.tif 000007
【図６】
2015204972.tif 000008
【図７】
2015204972.tif 000009
【図８】
2015204972.tif 000010
【図９】
2015204972.tif 000011
【図１０】
2015204972.tif 000012
【図１１】
2015204972.tif 000013
【図１２】
2015204972.tif 000014